(57)【要約】【課題】消毒空間への消毒薬剤ミスト等の噴出を適切な演算に基づいて的確に制御し、当該消毒空間の消毒薬剤ミスト等の濃度を、予め設定される最低濃度以上で予め設定される最高濃度以下に維持できる消毒装置を提供する。【解決手段】消毒空間における消毒薬剤ミスト等についての初期濃度を推測設定した後、初期濃度又は初期後濃度と参照基準濃度との比較結果に応じて、消毒薬剤ミスト等の噴出が行われるべき噴出時期を設定するとともに、初期濃度又は初期後濃度を一定値だけ増加させる、もしくは、噴出時期を設定することなく、初期濃度又は初期後濃度を一定値だけ減少させる薬剤噴出演算を繰り返し行う演算手段を含み、薬剤噴出演算の結果に応じた制御により、薬剤噴出演算により設定された噴出時期毎に、噴出部２４により一定量の消毒薬剤ミスト等が一定時間だけ噴出される状態を得る動作制御部２５を備える。【選択図】図１
2011010912.tif 000002
【特許請求の範囲】
【請求項１】
消毒薬剤を供給可能に収容する消毒薬剤供給部と、
該消毒薬剤供給部から供給可能とされた消毒薬剤を導出する薬剤導出部と、
該薬剤導出部により導出された消毒薬剤を収容して、該消毒薬剤にミスト化処理もしくは気化処理を施し、消毒薬剤ミストもしくは消毒薬剤ガスを送出する出力部と、
該出力部から送出される消毒薬剤ミストもしくは消毒薬剤ガスを消毒空間内に噴出する噴出部と、
上記消毒空間における消毒薬剤ミストもしくは消毒薬剤ガスの濃度を予め設定された最低濃度以上で予め設定された最高濃度以下に維持するため、上記消毒空間における消毒薬剤ミストもしくは消毒薬剤ガスについての初期濃度を推測設定した後、上記初期濃度もしくは該初期濃度から変化していく上記消毒空間における消毒薬剤ミストもしくは消毒薬剤ガスについての初期後濃度と適宜設定される上記消毒空間における消毒薬剤ミストもしくは消毒薬剤ガスについての参照基準濃度との比較を行い、該比較により得られる比較結果に応じて、上記噴出部による消毒薬剤ミストもしくは消毒薬剤ガスの噴出が行われるべき噴出時期を設定するとともに、上記初期濃度もしくは初期後濃度を一定値だけ増加させる、もしくは、上記噴出時期を設定することなく、上記初期濃度もしくは初期後濃度を一定値だけ減少させる薬剤噴出演算を所定時間に亙って繰り返し行う演算手段を含み、上記薬剤噴出演算の結果に応じて上記薬剤導出部及び上記出力部を制御して、上記薬剤噴出演算により設定された噴出時期毎に、上記噴出部により一定量の消毒薬剤ミストもしくは消毒薬剤ガスが一定時間だけ噴出される状態を得る動作制御部と、
を備えて構成される消毒装置。
【請求項２】
遠隔サーバとの交信を行って該遠隔サーバから上記参照基準濃度を得る通信部を備えることを特徴とする請求項１記載の消毒装置。
【請求項３】
上記通信部が、近隣に位置する他の消毒装置との交信も行い、該他の消毒装置による消毒空間内への消毒薬剤ミストもしくは消毒薬剤ガスの噴出に関する近隣情報を得て、該近隣情報を上記動作制御部に供給し、該動作制御部における上記演算手段が、必要に応じて、上記薬剤噴出演算に上記近隣情報を用いることを特徴とする請求項２記載の消毒装置。
【請求項４】
上記動作制御部が、上記薬剤噴出演算の結果を出力情報として記録する出力情報記録手段を含んでいることを特徴とする請求項１記載の消毒装置。
【請求項５】
遠隔サーバとの交信を行って該遠隔サーバから上記参照基準濃度を得る通信部を備え、上記動作制御部が、上記出力情報記録手段に記録された出力情報を上記通信部に送出し、該通信部が、上記出力情報を上記遠隔サーバに送信して該遠隔サーバにおいて記録されるものとなすことを特徴とする請求項４記載の消毒装置。
【請求項６】
上記動作制御部から上記出力情報記録手段に記録された出力情報が供給され、該出力情報に基づいて上記噴出部による消毒薬剤ミストもしくは消毒薬剤ガスの噴出状況をあらわす表示を行う表示部を備えることを特徴とする請求項４記載の消毒装置。
【請求項７】
上記消毒空間内の温度，湿度及び位置を夫々検出して各検出出力を上記動作制御部に供給する複数種のセンサを備え、上記動作制御部における上記演算手段が、必要に応じて、上記初期濃度もしくは初期後濃度を上記各検出出力に応じた補正がなされたものとすることを特徴とする請求項１記載の消毒装置。
【請求項８】
上記消毒空間内に入場する者を事前に検出して検出出力を上記動作制御部に供給する人感センサを備え、上記動作制御部が、上記人感センサからの検出出力に応じて上記薬剤導出部及び上記出力部を制御し、上記噴出部により予め設定された噴出量及び噴出時間をもって上記消毒薬剤ミストもしくは消毒薬剤ガスの予備的噴出が行われる状態を得ることを特徴とする請求項１記載の消毒装置。
【請求項９】
上記消毒薬剤供給部が水溶液状の消毒薬剤を供給可能に収容し、上記出力部が、上記薬剤導出部により導出された消毒薬剤にミスト化処理を施して、消毒薬剤ミストを送出することを特徴とする請求項１記載の消毒装置。
【請求項１０】
上記消毒薬剤供給部がゲル状の消毒薬剤を供給可能に収容し、上記出力部が、上記薬剤導出部により導出された消毒薬剤に気化処理を施して、消毒薬剤ガスを送出することを特徴とする請求項１記載の消毒装置。
【発明の詳細な説明】
【技術分野】
【０００１】
本願の特許請求の範囲に記載された発明は、消毒すべき特定空間内にミスト化もしくは気化された消毒薬剤を噴出して、当該特定空間についての消毒を行う消毒装置に関する。
【背景技術】
【０００２】
地球上における急激な人口の増加、その結果もたらされる様々な人の活動及び交流のより一層の活発化や迅速化、さらには、人の行動範囲の拡大等に伴い、細菌やウイルスの人への感染リスクが増大している。特に、高病原性のウイルスの人への感染リスクの増大は、高病原性のウイルスが短時間のうちに人への感染を繰り返して瞬く間に感染者が世界中に広がることになるパンデミック（感染爆発）の発生にもつながる虞があり、それに対する的確な対策が望まれるところとなる。パンデミックにあっては、一旦発生すれば世界中において同時多発的に多数の感染者が出現するということに恐ろしさがある。
【０００３】
パンデミックを防止するには、ウイルスの感染ルートの遮断に努めることが最も重要である。ウイルスの感染ルートには、大別すれば、接触感染ルート，飛沫感染ルート, 空気感染ルートがある。これらのうち、接触感染ルートについては、感染源との接触を注意深く回避することにより遮断でき、医療関係者等を除いた一般の人にとって遮断が著しく困難というものではない。しかしながら、飛沫感染ルート及び空気感染ルートに関しては、消毒されるべき特定の空間（消毒空間）を設けてその消毒空間を常時消毒しておくようにし、各人が斯かる消毒空間を利用して遮断に努めることが必要となる。
【０００４】
消毒空間の消毒には、消毒空間内に消毒薬剤を浮遊させておくことが必要とされる。そして、消毒空間内に消毒薬剤を浮遊させておく手法としては、例えば、気化式のもの，蒸気式のもの及びミスト式のものが挙げられる。
【０００５】
気化式の手法にあっては、液状もしくはゲル状の消毒薬剤を常温のもとで蒸発させて、気化された消毒薬剤である消毒薬剤ガスを発生させ、その消毒薬剤ガスを消毒空間内に放出する。また、蒸気式の手法にあっては、液状もしくはゲル状の消毒薬剤を加熱して蒸発させて、気化された消毒薬剤である消毒薬剤ガスを発生させ、その消毒薬剤ガスを消毒空間内に放出する。さらに、ミスト方式の手法にあっては、液状の消毒薬剤を常温のもとで微細な粒子にして、ミスト化された消毒薬剤である消毒薬剤ミストを発生させ、その消毒薬剤ミストを消毒空間内に放出する。これらの手法に関連する従来の装置について、消毒空間容積の大小を問うことなく、その概要について考察すると、以下のとおりである。
【０００６】
先ず、気化式の手法をとる従来の装置として、液状の消毒薬剤として揮発成分である除菌用のアルコール液を用いる殺菌装置（例えば、特許文献１参照），液状の消毒薬剤としてカートリッジボンベに収容された滅菌用液化エチレンオキサイドガス（EOG)を用いる滅菌器（例えば、特許文献２参照），液状の消毒薬剤としてタンクに収容された滅菌用二酸化塩素溶液を用いる二酸化塩素ガス発生装置（例えば、特許文献３参照）等が提案されている。このような特許文献１〜３の夫々に記載されている従来の装置に見られる技術思想を適用して、上述のような飛沫感染ルートもしくは空気感染ルートの遮断のために設けられる消毒空間内に消毒薬剤を浮遊させることが可能と考えられる。
【０００７】
また、蒸気式の手法をとる従来の装置としては、ゲル状の消毒薬剤として容器に収容されたゲル状の殺菌用二酸化塩素を用い、それを直接加熱して殺菌用二酸化塩素ガスを発生させる殺菌消臭装置（例えば、特許文献４参照）等が提案されている。このような特許文献４に記載されている従来の装置に見られる技術思想を適用しても、上述のような飛沫感染ルートもしくは空気感染ルートの遮断のために設けられる消毒空間内に消毒薬剤を浮遊させることが可能と考えられる。
【０００８】
さらに、ミスト式の手法をとる従来の装置としては、水あるいは抗菌剤，抗カビ剤，消臭剤等の溶液を超音波発振器を用いて振動させることによりミスト化し、溶液ミストを外部に噴射する噴霧装置（例えば、特許文献５参照）等が提案されている。この特許文献５に記載された従来の装置によれば、粒子径を概ね０．１ミクロン以下とする溶液ミストを室内等の所定の空間内に噴霧することができ、それにより、所定の空間内に溶液ミストを比較的長時間に亙って滞留させることができる。このような特許文献５に記載されている従来の装置に見られる技術思想を適用しても、上述のような飛沫感染ルートもしくは空気感染ルートの遮断のために設けられる消毒空間内に消毒薬剤を浮遊させることが可能と考えられる。
【先行技術文献】
【特許文献】
【０００９】
【特許文献１】特開２００６−８１６９７号公報
【特許文献２】特開２００２−２２４１９９号公報
【特許文献３】特開２００７−１４５６５４号公報
【特許文献４】特開２００３−１０２８２０号公報
【特許文献５】特開２００７−１３０５５５号公報
【発明の概要】
【発明が解決しようとする課題】
【００１０】
消毒空間内に消毒薬剤を浮遊させて当該消毒空間を消毒するにあたっては、消毒空間内における消毒薬剤ガスもしくは消毒薬剤ミストの濃度を、例えば、予め設定される最低濃度以上で予め設定される最高濃度以下とされる適切な値に所定の時間に亙って維持すべく制御することが要求される。斯かる要求が満たされてはじめて、消毒空間における消毒作用が効果的なものとされる。
【００１１】
しかしながら、上述の特許文献１〜３の夫々に記載されているような気化式の手法をとる従来の装置、あるいは、上述の特許文献４に記載されているような蒸気式の手法をとる従来の装置に見られる技術思想を適用して、消毒空間に消毒薬剤を浮遊させる場合（以下、第１の従来技術適用例の場合という。）には、消毒空間内に一旦放出された消毒薬剤ガスは、その状態変化に比較的長い時間を必要とするものとなり、その濃度を、迅速に変化させて、予め設定される適切な値に所定の時間に亙って維持すべく制御することはできないという不都合がある。例えば、人の出入が激しい消毒空間の場合、そこに必要とされる消毒薬剤ガスの濃度が人の出入や時間経過に伴って大きく変化することになるが、第１の従来技術適用例の場合は、このような消毒空間における消毒薬剤ガスの濃度に要される大きな変化に的確に対応することができない。このようなとき、消毒空間内における消毒薬剤ガスの濃度を予め必要以上に高めておき、消毒薬剤ガスの消毒空間外への漏出に対処することも考えられるが、その際には、必要以上に高い濃度の消毒薬剤ガスが消毒空間内における人に悪影響を及ぼすことになる虞がある。
【００１２】
さらに、第１の従来技術適用例の場合には、消毒空間が、例えば、高い天井下における広大なフロア上に形成される大容積を有した空間であるときには、消毒薬剤ガスが消毒空間における上方部分に集まって、フロア近傍の消毒薬剤ガスの濃度が著しく低下してしまう、あるいは、フロア近傍の消毒薬剤ガスの濃度の増大に極めて長い時間が要されることになり、フロア上の人に対する消毒作用が効果的に得られない、あるいは、フロア上の人に対して消毒作用が及ぶまでに極めて長い時間が要されるという不都合が生じる。そして、斯かるもとでは、消毒空間における消毒効果を的確に確認することができず、そのため、消毒薬剤の供給計画を立てることも困難となってしまう。
【００１３】
また、上述の特許文献５に記載されているようなミスト式の手法をとる従来の装置に見られる技術思想を適用して、消毒空間に消毒薬剤を浮遊させる場合（以下、第２の従来技術適用例の場合という。）には、消毒空間における消毒作用を効果的なものとするためには、消毒空間内に対し、消毒薬剤ミストの比較的長い時間に亙る連続的もしくは断続的な噴出を行うことが必要とされるが、このような消毒薬剤ミストの比較的長い時間に亙る連続的もしくは断続的な噴出は、例えば、一定量の消毒薬剤ミストを定期的に噴出することによって行われ、その際、消毒空間における消毒薬剤ミストの濃度についての評価及びそれに基づく濃度の制御は行われない。
【００１４】
このように、第２の従来技術適用例の場合にあっても、消毒空間における消毒薬剤ミストの濃度を適正に評価して、その濃度を予め設定される適切な値に所定の時間に亙って維持すべく制御する、ということはできないという不都合がある。
【００１５】
斯かる点に鑑み、本願の特許請求の範囲に記載された発明は、消毒空間内に消毒薬剤ミストもしくは消毒薬剤ガスを噴出して、消毒空間内に消毒薬剤を浮遊させることにより、消毒空間の消毒を行うにあたり、当該消毒空間への消毒薬剤ミストもしくは消毒薬剤ガスの噴出を適切な演算に基づいて的確に制御し、それにより、当該消毒空間の消毒薬剤ミストもしくは消毒薬剤ガスの濃度を、予め設定される最低濃度以上で予め設定される最高濃度以下とされる適切な値に、所定の時間に亙って維持することができる消毒装置を提供する。
【課題を解決するための手段】
【００１６】
本願の特許請求の範囲における請求項１から請求項１０までのいずれかに記載された発明（以下、本発明という。）に係る消毒装置は、消毒薬剤を供給可能に収容する消毒薬剤供給部と、消毒薬剤供給部から供給可能とされた消毒薬剤を導出する薬剤導出部と、薬剤導出部により導出された消毒薬剤を収容して、その消毒薬剤にミスト化処理もしくは気化処理を施し、消毒薬剤ミストもしくは消毒薬剤ガスを送出する出力部と、出力部から送出される消毒薬剤ミストもしくは消毒薬剤ガスを消毒空間内に噴出する噴出部と、消毒空間における消毒薬剤ミストもしくは消毒薬剤ガスの濃度を予め設定された最低濃度以上で予め設定された最高濃度以下に維持するため、消毒空間における消毒薬剤ミストもしくは消毒薬剤ガスについての初期濃度を推測設定した後、初期濃度もしくは初期濃度から変化していく消毒空間における消毒薬剤ミストもしくは消毒薬剤ガスについての初期後濃度と適宜設定される消毒空間における消毒薬剤ミストもしくは消毒薬剤ガスについての参照基準濃度との比較を行い、その比較により得られる比較結果に応じて、噴出部による消毒薬剤ミストもしくは消毒薬剤ガスの噴出が行われるべき噴出時期を設定するとともに、初期濃度もしくは初期後濃度を一定値だけ増加させる、もしくは、噴出部による消毒薬剤ミストもしくは消毒薬剤ガスの噴出が行われるべき噴出時期を設定することなく、初期濃度もしくは初期後濃度を一定値だけ減少させる薬剤噴出演算を所定時間に亙って繰り返し行う演算手段を含み、薬剤噴出演算の結果に応じて薬剤導出部及び出力部を制御して、薬剤噴出演算により設定された噴出時期毎に、噴出部により一定量の消毒薬剤ミストもしくは消毒薬剤ガスが一定時間だけ噴出される状態を得る動作制御部と、を備えて構成される。
【００１７】
特に、本発明に係る消毒装置のうちの請求項２に記載されたものは、遠隔サーバとの交信を行ってその遠隔サーバから消毒空間における消毒薬剤ミストもしくは消毒薬剤ガスについての参照基準濃度を得る通信部を備える。
【００１８】
また、本発明に係る消毒装置のうちの請求項３に記載されたものにあっては、遠隔サーバとの交信を行ってその遠隔サーバから消毒空間における消毒薬剤ミストもしくは消毒薬剤ガスについての参照基準濃度を得る通信部が、近隣に位置する他の消毒装置との交信も行い、他の消毒装置による消毒空間内への消毒薬剤ミストもしくは消毒薬剤ガスの噴出に関する近隣情報を得て、その近隣情報を動作制御部に供給し、動作制御部における演算手段が、必要に応じて、薬剤噴出演算に近隣情報を用いる。
【００１９】
本発明に係る消毒装置のうちの請求項５に記載されたものにあっては、遠隔サーバとの交信を行ってその遠隔サーバから消毒空間における消毒薬剤ミストもしくは消毒薬剤ガスについての参照基準濃度を得る通信部を備え、動作制御部が、薬剤噴出演算の結果を出力情報として記録する出力情報記録手段を含んでいて、その出力情報記録手段に記録された出力情報を通信部に送出し、通信部が、出力情報を遠隔サーバに送信して遠隔サーバにおいて記録されるものとなす。
【００２０】
さらに、本発明に係る消毒装置のうちの請求項７に記載されたものは、消毒空間内の温度，湿度及び位置を夫々検出して各検出出力を動作制御部に供給する複数種のセンサを備え、動作制御部における演算手段が、必要に応じて、初期濃度もしくは初期後濃度を各検出出力に応じた補正がなされたものとする。
【００２１】
上述のように構成される本発明に係る消毒装置にあっては、消毒薬剤供給部が収容する消毒薬剤を薬剤導出部が導出して出力部に供給し、出力部がその消毒薬剤にミスト化処理もしくは気化処理を施して消毒薬剤ミストもしくは消毒薬剤ガスを生成し、噴出部がその消毒薬剤ミストもしくは消毒薬剤ガスを消毒空間内に噴出するにあたり、動作制御部が、消毒空間内の消毒薬剤ミストもしくは消毒薬剤ガスの濃度を予め設定された最低濃度以上で予め設定された最高濃度以下に維持するための制御を行う。この動作制御部が行う制御は、動作制御部に含まれる演算手段によって、消毒空間における消毒薬剤ミストもしくは消毒薬剤ガスについての初期濃度を推測設定した後、初期濃度もしくは初期濃度から変化していく初期後濃度と適宜設定される消毒空間における消毒薬剤ミストもしくは消毒薬剤ガスについての参照基準濃度との比較を行って、噴出部による消毒薬剤ミストもしくは消毒薬剤ガスの噴出が行われるべき噴出時期を設定するための薬剤噴出演算を、所定時間に亙って繰り返し行い、その薬剤噴出演算の結果に応じて薬剤導出部及び出力部の動作を制御することにより、薬剤噴出演算により設定された噴出時期毎に、噴出部により一定量の消毒薬剤ミストもしくは消毒薬剤ガスが一定時間だけ噴出される状態を得る。
【００２２】
そして、本発明に係る消毒装置のうちの請求項２に記載されたものは、遠隔サーバとの交信を行う通信部を備えていて、その通信部を通じて、適宜設定されるものとされる消毒空間における消毒薬剤ミストもしくは消毒薬剤ガスについての参照基準濃度を、遠隔サーバから得る。
【００２３】
特に、本発明に係る消毒装置のうちの請求項３に記載されたものにあっては、通信部が、例えば、共通の消毒空間内に消毒薬剤ミストもしくは消毒薬剤ガスを消毒空間内に噴出するものとして設置された、近隣に位置する他の消毒装置との交信を行って得て動作制御部に供給する当該他の消毒装置による消毒空間内への消毒薬剤ミストもしくは消毒薬剤ガスの噴出に関する近隣情報が、演算手段が行う薬剤噴出演算に必要に応じて用いられる。
【００２４】
また、本発明に係る消毒装置のうちの請求項５に記載されたものにあっては、遠隔サーバとの交信を行ってその遠隔サーバから消毒空間における消毒薬剤ミストもしくは消毒薬剤ガスについての参照基準濃度を得る通信部を備えたもとにおいて、動作制御部が、それに含まれる出力情報記録手段に記録された出力情報、即ち、演算手段により行われる薬剤噴出演算の結果を通信部に送出し、通信部がその出力情報を遠隔サーバに送信して遠隔サーバにおいて記録されるようになす。遠隔サーバにおいて記録された出力情報、即ち、演算手段により行われる薬剤噴出演算の結果は、その後、通信部が、遠隔サーバとの交信を行って得て、動作制御部に供給する情報を成すものとされ、演算手段により行われる薬剤噴出演算に必要に応じて用いられる。
【００２５】
さらに、本発明に係る消毒装置は、請求項７に記載されたもののように、消毒空間内の温度，湿度及び位置を夫々検出して各検出出力を動作制御部に供給する複数種のセンサを備えることもあり、その場合には、動作制御部における演算手段が、必要に応じて、薬剤噴出演算において得られる初期濃度もしくは初期後濃度を複数種のセンサからの検出出力に応じた補正がなされたものとする。
【発明の効果】
【００２６】
上述のような本発明に係る消毒装置にあっては、消毒薬剤ミストもしくは消毒薬剤ガスを消毒空間内に噴出してその消毒空間を消毒する際に、消毒空間内の消毒薬剤ミストもしくは消毒薬剤ガスの濃度を予め設定された最低濃度以上で予め設定された最高濃度以下に維持するため、動作制御部に含まれる演算手段によって、消毒空間における消毒薬剤ミストもしくは消毒薬剤ガスについての初期濃度を推測設定した後、初期濃度もしくは初期濃度から変化していく初期後濃度と適宜設定される消毒空間における消毒薬剤ミストもしくは消毒薬剤ガスについての参照基準濃度との比較を行って、噴出部による消毒薬剤ミストもしくは消毒薬剤ガスの噴出が行われるべき噴出時期を設定するための薬剤噴出演算が、所定時間に亙って繰り返し行われ、その薬剤噴出演算の結果に応じて薬剤導出部及び出力部の動作が制御されることにより、薬剤噴出演算により設定された噴出時期毎に、噴出部により一定量の消毒薬剤ミストもしくは消毒薬剤ガスが一定時間だけ噴出される状態が得られる。その結果、本発明に係る消毒装置によれば、消毒空間内に消毒薬剤ミストもしくは消毒薬剤ガスを噴出して、消毒空間内に消毒薬剤を浮遊させることにより、消毒空間の消毒を行うにあたり、当該消毒空間への消毒薬剤ミストもしくは消毒薬剤ガスの噴出を適切な演算に基づいて的確に制御し、それにより、当該消毒空間の消毒薬剤ミストもしくは消毒薬剤ガスの濃度を、予め設定される最低濃度以上で予め設定される最高濃度以下とされる適切な値に、所定の時間に亙って維持することができることになる。
【００２７】
特に、本発明に係る消毒装置のうちの請求項２に記載されたものによれば、適宜設定されるものとされる消毒空間における消毒薬剤ミストもしくは消毒薬剤ガスについての参照基準濃度を、遠隔サーバとの交信を行う通信部を通じて、遠隔サーバから得ることができる。
【００２８】
また、本発明に係る消毒装置のうちの請求項３に記載されたものによれば、動作制御部における演算手段により行われる薬剤噴出演算を、例えば、共通の消毒空間内に消毒薬剤ミストもしくは消毒薬剤ガスを噴出するものとして設置された、近隣に位置する他の消毒装置による消毒空間内への消毒薬剤ミストもしくは消毒薬剤ガスの噴出に関する近隣情報を、必要に応じて用いて行うことができ、それにより、共通の消毒空間内の消毒薬剤ミストもしくは消毒薬剤ガスの濃度を予め設定された最低濃度以上で予め設定された最高濃度以下に維持する制御を、近隣に位置する他の消毒装置と連携して、共通の消毒空間内の消毒薬剤ミストもしくは消毒薬剤ガスの濃度の場所によるムラが低減されるようにして行うことができる。
【００２９】
さらに、本発明に係る消毒装置のうちの請求項５に記載されたものによれば、通信部が交信する遠隔サーバに、動作制御部における演算手段により行われる薬剤噴出演算に必要に応じて用いられる情報を、当該薬剤噴出演算に先立って繰り返し行われる薬剤噴出演算毎に蓄積していくことができる。
【図面の簡単な説明】
【００３０】
【図１】本発明に係る消毒装置の一例を示すブロック構成図である。
【図２】図１に示される例が備える動作制御部がマイクロコンピュータが用いられて構成された場合に、斯かるマイクロコンピュータが消毒空間の消毒にあたって実行する制御プログラムの一例を示すフローチャートである。
【図３】図１に示される例が適用されて構成された入口消毒システムが設置されたフロアの一例を示す概念図である。
【発明を実施するための最良の形態】
【００３１】
本発明を実施するための最良の形態は、以下に述べられる本発明についての実施例をもって説明される。
【実施例１】
【００３２】
図１は、本発明に係る消毒装置の一例を示す。
【００３３】
図１において、本発明に係る消毒装置の一例を成す消毒装置１１は、それにより消毒が行われるべき消毒空間１２内に配されている。そして、消毒装置１１は、消毒薬剤を供給可能に収容する消毒薬剤供給部２１と、消毒薬剤供給部２１から供給可能とされた消毒薬剤を導出する薬剤導出部２２と、薬剤導出部２２により導出された消毒薬剤を収容して、その消毒薬剤にミスト化処理もしくは気化処理を施し、消毒薬剤ミストもしくは消毒薬剤ガスを送出する出力部２３と、出力部２３から送出される消毒薬剤ミストもしくは消毒薬剤ガスを消毒空間１２内に噴出する噴出部２４と、消毒薬剤供給部２１，薬剤導出部２２及び出力部２３についての制御を行う動作制御部２５とを備え、それに加えて、動作制御部２５に連結された各種センサ２６と、通信部２７と、入力操作部２８と、人感センサ２９と、表示部３０と、ＲＯＭ（リードオンリーメモリ）３１と、ＲＡＭ（ランダムアクセスメモリ）３２とを備え、さらに、上記の各部に電源電圧ＶＢを供給する電源部３３を備えて構成されている。電源部３３は、入力操作部２８の操作に応じて作動する動作制御部２５によって、オン状態もしくはオフ状態とされるオン・オフ制御が行われるものとされており、上記の各部は、電源部３３からの電源電圧ＶＢの供給を受けてその主たる動作を行う。なお、通信部２７は、それが設けられないことも考えられる。
【００３４】
各種センサ２６は、例えば、消毒空間１２内の温度，湿度及び位置、さらには、消毒空間１２内に入場した者を夫々検出して、各検出出力をセンサ出力として動作制御部２５に供給する複数種のセンサを含んでいる。また、人感センサ２９は、消毒空間１２外に配されており、消毒空間１２内に入場する者を事前に検出して検出出力を動作制御部２５に供給する。
【００３５】
通信部２７は、消毒空間１２内に配されて近隣に位置する他の消毒装置である近隣の消毒装置３５との交信を行い、さらに、消毒空間１２外に配された遠隔サーバ３６との交信を行う。近隣の消毒装置３５も、遠隔サーバ３６との交信を行う。なお、近隣の消毒装置３５が遠隔サーバ３６との交信を直接に行うことができない状況にある場合には、通信部２７を備えた消毒装置１１は、必要に応じて、近隣の消毒装置３５と遠隔サーバ３６との間の交信を中継する。
【００３６】
入力操作部２８は、その操作に応じた信号を動作制御部２５に供給するものであって、例えば、電源部３３をオン状態とするとともに動作制御部２５による制御動作を開始させる制御オン信号、及び、電源部３３をオフ状態とするとともに動作制御部２５による制御動作を終了させる制御オフ信号を動作制御部２５に供給する。斯かる制御オン信号あるいは制御オフ信号の動作制御部２５への供給は、例えば、入力操作部２８が手動もしくは他の手段により操作されることにより行われる。動作制御部２５は、入力操作部２８からの制御オン信号もしくは制御オフ信号に応じて、電源部３３に制御信号ＣＰを供給し、電源部３３にオン状態もしくはオフ状態をとらせる。
【００３７】
消毒薬剤供給部２１においては、例えば、安定化二酸化塩素液等とされる消毒薬原液を収容する消毒薬原液収容部４１と水もしくは消毒薬原液についての活性化剤を収容する水／活性化剤収容部４２とが備えられている。消毒薬原液収容部４１に収容される消毒薬原液及び水／活性化剤収容部４２に収容される水もしくは活性化剤は、図示されていない手段により、必要に応じて適宜補給される。
【００３８】
電源部３３がオン状態とされたもとで、消毒薬原液収容部４１に収容された消毒薬原液及び水／活性化剤収容部４２に収容された水もしくは活性化剤は、動作制御部２５からの制御信号ＣＡに応じて作動する導出部４３によって消毒薬原液収容部４１及び水／活性化剤収容部４２から夫々導出され、一時収容部４４及び一次収容部４５に一時的に収容される。一時収容部４４には、一時的に収容された消毒薬原液の残量を検出する残量センサ４４ａが備えられており、残量センサ４４ａは検出出力信号ＤＤを、動作制御部２５に供給する。同様に、一時収容部４５にも、一時的に収容された水もしくは活性化剤の残量を検出する残量センサ４５ａが備えられており、残量センサ４５ａは検出出力信号ＤＷを、動作制御部２５に供給する。動作制御部２５は、検出出力信号ＤＤ及び検出出力信号ＤＷに基づき、必要に応じて、制御信号ＣＡを導出部４３に供給して導出部４３を作動させ、一時収容部４４における消毒薬原液の補充あるいは一時収容部４５における水もしくは活性化剤の補充を行う。なお、導出部４３は、必ずしも独立した装置として設けられるものではなく、さらには、設けられず、消毒薬原液収容部４１及び水／活性化剤収容部４２に一時収容部４４及び一時収容部４５が直接的に連結されることも考えられる。
【００３９】
一時収容部４４に一時的に収容された消毒薬原液及び一時収容部４５に一時的に収容された水もしくは活性化剤は、動作制御部２５からの制御信号ＣＢに応じて作動する導出部４６によって  一時収容部４４及び一時収容部４５から夫々導出され、混合部４７に供給される。混合部４７は、動作制御部２５からの制御信号ＣＭに応じて作動し、導出部４６を通じて供給される消毒薬原液と水もしくは活性化剤とを混合して、水溶液状もしくはゲル状の消毒薬剤を生成し、それを一時収容部４８へと送出する。それにより、一時収容部４８には、水溶液状もしくはゲル状の消毒薬剤が一時的に収容される。このようにして一時収容部４８に一時的に収容された水溶液状もしくはゲル状の消毒薬剤は、消毒薬剤供給部２１が供給可能に収容する消毒薬剤とされる。
【００４０】
消毒薬剤供給部２１における一時収容部４８に一時的に収容された水溶液状もしくはゲル状の消毒薬剤は、動作制御部２５からの制御信号ＣＸに応じて作動する薬剤導出部２２によって一時収容部４８から導出され、出力部２３に備えられたミスト化／気化部４９に供給される。ミスト化／気化部４９は、動作制御部２５からの制御信号ＣＹに応じて作動し、薬剤導出部２２を通じて供給される水溶液状もしくはゲル状の消毒薬剤に、ミスト化処理もしくは気化処理を施す。その際、ミスト化／気化部４９は、水溶液状の消毒薬剤が供給される場合には、その水溶液状の消毒薬剤にミスト化処理を施して、消毒薬剤ミストを発生させ、また、ゲル状の消毒薬剤が供給される場合には、そのゲル状の消毒薬剤に気化処理を施して、消毒薬剤ガスを発生させる。
【００４１】
出力部２３には送出部５０も備えられており、送出部５０は、動作制御部２５からの制御信号ＣＺに応じて作動し、ミスト化／気化部４９が発生させた消毒薬剤ミストもしくは消毒薬剤ガスを噴出部２４へと送出する。噴出部２４は、制御信号ＣＺに応じて出力部２３から送出される消毒薬剤ミストもしくは消毒薬剤ガスを、消毒空間１２内に噴出する。それにより、消毒空間１２に消毒薬剤を浮遊させる状態が得られる。
【００４２】
動作制御部２５は、マイクロコンピュータ等のコンピュータが用いられて構成され、ＲＯＭ３１から読み出される制御プログラムに従って動作する。そして、上述のようにして、噴出部２４が消毒薬剤ミストもしくは消毒薬剤ガスを消毒空間１２内に噴出し、それにより、消毒空間１２に消毒薬剤が浮遊せしめられて、消毒空間１２の消毒が行われるにあたっては、動作制御部２５は、消毒空間１２内の消毒薬剤ミストもしくは消毒薬剤ガスの濃度を予め設定された最低濃度以上で予め設定された最高濃度以下に維持するための制御を行う。この動作制御部２５が行う制御は、動作制御部２５に含まれる演算手段によって、噴出部２４により消毒薬剤ミストもしくは消毒薬剤ガスが噴出されるべき噴出時期を設定するための薬剤噴出演算を、例えば、入力操作部２８から動作制御部２５に、例えば、電源部３３をオン状態にする制御オン信号が供給された時点から、入力操作部２８から動作制御部２５に、例えば、電源部３３をオフ状態にする制御オフ信号が供給された時点まで、とされる所定時間に亙って繰り返し行い、その薬剤噴出演算の結果に応じて薬剤導出部２２と出力部２３におけるミスト化／気化部４９及び送出部５０との動作を制御することにより、噴出部２４により、薬剤噴出演算により設定される噴出時期毎に消毒薬剤ミストもしくは消毒薬剤ガスが噴出される状態を得るものとされる。
【００４３】
斯かる際における、薬剤噴出演算の結果に応じて薬剤導出部２２と出力部２３におけるミスト化／気化部４９及び送出部５０との動作を制御する動作制御は、動作制御部２５に含まれる制御信号送出手段によって、薬剤噴出演算により設定される噴出時期に応じた制御信号ＣＸ，制御信号ＣＹ及び制御信号ＣＺが形成され、それらが、薬剤導出部２２，出力部２３におけるミスト化／気化部４９及び出力部２３における送出部５０に夫々送出されることにより行われる。
【００４４】
動作制御部２５に含まれる演算手段による上述の薬剤噴出演算は、演算手段とＲＡＭ３２との間でのデータの遣り取りがなされるもとで、次のようにして行われる。先ず、薬剤噴出演算の開始にあたり、消毒空間１２における消毒薬剤ミストもしくは消毒薬剤ガスについての初期濃度を推定して設定する初期濃度推定設定が行われる。初期濃度推定設定により推定設定される初期濃度は、予め設定された最低濃度以上で予め設定された最高濃度以下とされる。
【００４５】
この初期濃度推定設定には、動作制御部２５に含まれる出力情報記録手段に記録された前回の薬剤噴出演算の算出結果から得られる濃度である前回濃度，通信部２７が遠隔サーバ３６との交信を行って得て動作制御部２５に供給する遠隔サーバ３６からの、例えば、近隣の消毒装置３５による消毒空間１２内への消毒薬剤ミストもしくは消毒薬剤ガスの噴出に関する情報を基にして得られる濃度である外部入力濃度、あるいは、入力操作部２８が操作されて動作制御部２５に入力される手動入力濃度が、場合に応じて使い分けられる。例えば、前回濃度が有れば、その前回濃度が用いられ、前回濃度が無く、かつ、通信部２７と遠隔サーバ３６との交信が可能な状況であれば、外部入力濃度が用いられ、前回濃度が無く、かつ、通信部２７と遠隔サーバ３６との交信ができない状況であれば、手動入力濃度が用いられて、初期濃度が推定設定される。
【００４６】
その後、初期濃度推定設定により得られた消毒空間１２における消毒薬剤ミストもしくは消毒薬剤ガスの初期濃度に、各種センサ２６から動作制御部２５に供給されるセンサ出力に応じた補正が加えられる、センサ出力に応じた濃度補正が行われて、補正濃度が得られる。但し、動作制御部２５に各種センサ２６からのセンサ出力が供給されない状況のもとにおいては、センサ出力に応じた濃度補正は行われず、初期濃度がそのまま補正濃度とされる。
【００４７】
続いて、補正濃度と参照基準濃度との比較が行われる。参照基準濃度は、例えば、通信部２７が遠隔サーバ３６との交信を行って得て動作制御部２５に供給する遠隔サーバ３６からの情報に含まれる、基準空間情報があらわす基準空間における消毒薬剤ミストもしくは消毒薬剤ガスの濃度として設定されるものであって、予め設定された最低濃度以上で予め設定された最高濃度以下とされる。なお、通信部２７が遠隔サーバ３６との交信を行うことができない場合、あるいは、通信部２７が備えられていない場合等においては、参照基準濃度は、予め入力操作部２８を通じて動作制御部２５に供給されて設定されるもの、あるいは、予めＲＯＭ３１に格納される制御プログラムに含まれていることにより設定されるものとされる。斯かる際にも、参照基準濃度は、予め設定された最低濃度以上で予め設定された最高濃度以下とされる。
【００４８】
基準空間とは、消毒空間１２と同等の空間であって、そこにおける適正値をとる消毒薬剤ミストもしくは消毒薬剤ガスの濃度が参照基準濃度として予め設定される、仮想の理想空間である。ここで言う理想空間とは、例えば、そこにおける消毒薬剤ミストもしくは消毒薬剤ガスの濃度が極めて短時間のうちに一定になり、その一定の濃度が比較的長い時間、例えば、２０分程度持続され、無風状態におかれて、人や物が存在せず、気圧が一定に維持されている閉空間である。そして、遠隔サーバ３６には、参照基準濃度を含めた基準空間に関する各種の情報が基準空間情報として蓄積されている。
【００４９】
遠隔サーバ３６に蓄積される基準空間情報は、例えば、「基準空間においては、濃度を１ppm とする二酸化塩素ミストもしくは二酸化塩素ガスを、１０分間、径を１２cmとするファンを１２００rpm で回転させて噴出することにより、適正な消毒が行われる。」，「適正な消毒が行われた後には、径を１２cmとするファンを、その回転数を６００rpm に下げて、５分間ずつ間欠運転することで、適正な消毒状態を維持できる。」というような情報とされる。
【００５０】
このような基準空間情報は、遠隔サーバ３６と交信する通信部２７を通じて、遠隔サーバ３６から動作制御部２５へと送られ、動作制御部２５に連結されたＲＡＭ３２に格納される。
【００５１】
そして、補正濃度と参照基準濃度との比較の結果、補正濃度が参照基準濃度に達していない場合には、消毒空間１２における消毒薬剤ミストもしくは消毒薬剤ガスの濃度が低減状態にあると判断され、当該濃度を増加させるべく、噴出部２４に消毒薬剤ミストもしくは消毒薬剤ガスの噴出を行わせるための噴出時期が設定されるとともに、補正濃度が、例えば、極めて小なる一定値だけ増加せしめられる。一方、補正濃度と参照基準濃度との比較の結果、補正濃度が参照基準濃度以上である場合には、消毒空間１２における消毒薬剤ミストもしくは消毒薬剤ガスの濃度が増大状態にあると判断され、当該濃度を減少させるべく、噴出部２４に消毒薬剤ミストもしくは消毒薬剤ガスの噴出を行わせるための噴出時期が設定されることなく、補正濃度が、例えば、極めて小なる一定値だけ減少せしめられる。
【００５２】
そして、例えば、電源部３３をオフ状態とする制御オフ信号に応じて動作制御部２５内で形成された終了信号が演算手段に到来しているか否かが判断され、終了信号が到来している場合には、演算手段による演算動作が停止される。一方、終了信号が到来していない場合には、初回の薬剤噴出演算が終了され、直ちに、２回目の薬剤噴出演算が継続的に開始される。２回目の薬剤噴出演算にあっては、１回目の薬剤噴出演算によって極めて小なる一定値だけ増加もしくは減少せしめられた補正濃度が、初期後濃度とされて、それについての、１回目の薬剤噴出演算における初期濃度に加えられるセンサ出力に応じた濃度補正と同様な、センサ出力に応じた濃度補正が行われて補正濃度が得られ、それに続いて、補正濃度と参照基準濃度との比較が行われ、その結果に応じて、噴出部２４に消毒薬剤ミストもしくは消毒薬剤ガスの噴出を行わせるための噴出時期が設定されるとともに、補正濃度が、例えば、極めて小なる一定値だけ増加せしめられ、もしくは、噴出部２４に消毒薬剤ミストもしくは消毒薬剤ガスの噴出を行わせるための噴出時期が設定されることなく、補正濃度が、例えば、極めて小なる一定値だけ減少せしめられる。
【００５３】
その後、例えば、電源部３３をオフ状態とする制御オフ信号に応じて動作制御部２５内で形成された終了信号が演算手段に到来しているか否かが判断され、終了信号が到来している場合には、演算手段による演算動作が停止される。一方、終了信号が到来していない場合には、２回目の薬剤噴出演算が終了され、直ちに、３回目の薬剤噴出演算が２回目の薬剤噴出演算と同様に継続的に開始される。
【００５４】
このようにして、動作制御部２５における演算手段による薬剤噴出演算は、例えば、入力操作部２８から動作制御部２５に制御オン信号が供給された時点から入力操作部２８から動作制御部２５に制御オフ信号が供給された時点までとされる所定時間に亙って繰り返し行われる。そして、これらの薬剤噴出演算の結果は、動作制御部２５に含まれる出力情報記録手段が出力情報として記録する。
【００５５】
また、このとき、動作制御部２５は、それに含まれる制御信号送出手段に、演算手段により上述のようにして所定時間に亙って繰り返し行われる薬剤噴出演算により設定される噴出時期毎に、制御信号ＣＸ，制御信号ＣＹ及び制御信号ＣＺを形成させて、それらを薬剤導出部２２，出力部２３におけるミスト化／気化部４９及び出力部２３における送出部５０に夫々送出させ、それによって薬剤導出部２２，出力部２３におけるミスト化／気化部４９及び出力部２３における送出部５０を作動させて、噴出部２４に、例えば、極めて少量とされる一定量の消毒薬剤ミストもしくは消毒薬剤ガスを、例えば、極めて短いものとされる一定時間だけ送り込ませる。それにより、演算手段が行う薬剤噴出演算により設定される噴出時期毎に、噴出部２４から、例えば、極めて少量とされる一定量の消毒薬剤ミストもしくは消毒薬剤ガスが、例えば、極めて短いものとされる一定時間だけ、消毒空間１２内に噴出される。
【００５６】
上述のようにして、演算手段が行う薬剤噴出演算により設定される噴出時期毎に、噴出部２４から、例えば、極めて少量とされる一定量の消毒薬剤ミストもしくは消毒薬剤ガスが、例えば、極めて短いものとされる一定時間だけ、消毒空間１２内に噴出されることにより、消毒空間１２における消毒薬剤ミストもしくは消毒薬剤ガスの濃度が、少なくとも、例えば、入力操作部２８から動作制御部２５に制御オン信号が供給された時点から入力操作部２８から動作制御部２５に制御オフ信号が供給された時点までとされる所定時間に亙って、予め設定された最低濃度以上で予め設定された最高濃度以下に維持される。その結果、消毒空間１２についてのそこに浮遊する消毒薬剤による殺菌が、適正に行われることになる。
【００５７】
動作制御部２５に含まれる出力情報記録手段に記録された出力情報は、動作制御部２５によって通信部２７に供給され、通信部２７は、その出力情報を遠隔サーバ３６に送信して遠隔サーバ３６において記録されるものとなす。
【００５８】
また、動作制御部２５に含まれる出力情報記録手段に記録された出力情報は、動作制御部２５によって表示部３０にも供給され、表示部３０は、出力情報に基づいて、噴出部２４による消毒空間１２内への消毒薬剤ミストもしくは消毒薬剤ガスの噴出状況をあらわす表示を行う。
【００５９】
通信部２７は、近隣の消毒装置３５との交信も行い、近隣の消毒装置３５による消毒空間１２内への消毒薬剤ミストもしくは消毒薬剤ガスの噴出に関する近隣情報を得て、それを動作制御部２５に供給する。そして、動作制御部２５における演算手段は、必要に応じて、噴出部２４に消毒薬剤ミストもしくは消毒薬剤ガスの噴出を行わせるための噴出時期を設定するために薬剤噴出演算に、近隣の消毒装置３５からの近隣情報を用いる。噴出部２４に消毒薬剤ミストもしくは消毒薬剤ガスの噴出を行わせるための噴出時期を設定するために薬剤噴出演算に近隣情報が用いられる場合には、噴出部２４による消毒薬剤ミストもしくは消毒薬剤ガスの噴出を、近隣の消毒装置３５による消毒空間１２内への消毒薬剤ミストもしくは消毒薬剤ガスの噴出時期との協調がとれたものとすることができ、消毒空間１２に対する消毒作用がより一層効果的なものとされる。
【００６０】
図２は、前述のように動作制御部２５がマイクロコンピュータが用いられて構成された場合に、動作制御部２５を構成するマイクロコンピュータが、上述のような消毒空間１２の消毒にあたって実行する制御プログラムの一例を示すフローチャートである。
【００６１】
図１に示されるフローチャートに従って実行される制御プログラムのもとでは、入力操作部２８から動作制御部２５に制御オン信号が供給された時点がスタートの時点とされ、スタート後、ステップ５１において、前回の薬剤噴出演算の算出結果から得られる前回濃度が有るか否かを判断する。その結果、前回濃度が有る場合には、ステップ５２において、前回濃度に基づいて初期濃度を推測設定して、ステップ５６に進み、前回濃度が無い場合には、ステップ５３において、通信部２７による遠隔サーバ３６との通信が可能な状況か否かを判断する。
【００６２】
ステップ５３での判断の結果、通信が可能である場合には、ステップ５４において、通信部２７が遠隔サーバ３６との交信を行って得て動作制御部２５に供給する遠隔サーバ３６からの、近隣の消毒装置３５による消毒空間１２内への消毒薬剤ミストもしくは消毒薬剤ガスの噴出に関する情報を基にして得られる外部入力濃度に基づいて初期濃度を推測設定して、ステップ５６に進み、通信ができない場合には、ステップ５５において、入力操作部２８が操作されて動作制御部２５に入力される手動入力濃度に基づいて初期濃度を推測設定して、ステップ５６に進む。
【００６３】
ステップ５６においては、各種センサ２６からのセンサ出力が到来しているか否かを判断し、その結果、センサ出力が到来している場合には、ステップ５７において、ステップ５２，５４もしくは５５で推測設定された初期濃度にセンサ出力に応じた補正を加える、センサ出力に応じた濃度補正を行って補正濃度を得、ステップ５８に進む。一方、ステップ５６での判断の結果、センサ出力が到来していない場合には、ステップ５２，５４もしくは５５で推測設定された初期濃度をそのまま補正濃度として、ステップ５８に進む。
【００６４】
ステップ５８においては、補正濃度と参照基準濃度との比較を行う。参照基準濃度は、通信部２７が遠隔サーバ３６との交信を行って得て動作制御部２５に供給する遠隔サーバ３６からの情報に含まれるものとして、または、予め入力操作部２８を通じて動作制御部２５に供給されて、もしくは、予めＲＯＭ３１に格納される制御プログラムに含まれていることにより、設定される。そして、続くステップ５９において、ステップ５８での補正濃度と参照基準濃度との比較の結果が、補正濃度が参照基準濃度より小であって参照基準濃度に達していないことをあらわしているか否かを判断する。その結果、ステップ５８での比較結果が補正濃度が参照基準濃度に達していないことをあらわしている場合には、ステップ６０において、噴出部２４に消毒薬剤ミストもしくは消毒薬剤ガスの噴出を行わせるための噴出時期を設定するとともに、続くステップ６１において、補正濃度を、例えば、極めて小なる一定値だけ増加させて、ステップ６３に進む。一方、ステップ５９での判断の結果、ステップ５８での比較結果が補正濃度が参照基準濃度以上であることをあらわしている場合には、ステップ６２において、補正濃度を、例えば、極めて小なる一定値だけ減少させて、ステップ６３に進む。
【００６５】
ステップ６３においては、ステップ６１もしくは６２での処理後、予め設定された所定時間が経過したか否かを判断する。その結果、所定時間が経過していなければ、ステップ６３での判断を繰り返し、所定時間が経過したときには、ステップ６４に進む。
【００６６】
ステップ６４においては、入力操作部２８から動作制御部２５への制御オフ信号の供給に伴って発せられる終了信号が演算手段に到来しているか否かを判断する。その結果、終了信号が到来している場合には、ステップ６５において、制御についての終了処理をして、制御動作を終了する。それに対して、ステップ６４での判断の結果、終了信号が到来していない場合には、ステップ５６に戻って、ステップ５６以降の各ステップによる処理を繰り返す。
【００６７】
このような図２に示されるフローチャートに従って実行される制御動作により、動作制御部２５における演算手段による、噴出部２４により消毒薬剤ミストもしくは消毒薬剤ガスが噴出されるべき噴出時期を設定するための薬剤噴出演算が、入力操作部２８から動作制御部２５に制御オン信号が供給された時点から入力操作部２８から動作制御部２５に制御オフ信号が供給された時点までとされる所定時間に亙って繰り返し行われることになる。
【００６８】
さらに、動作制御部２５は、消毒空間１２外に配された人感センサ２９から、消毒空間１２内に入場する者を事前に検出して得られる検出出力が供給されると、その検出出力に応じて、薬剤導出部２２と出力部２３におけるミスト化／気化部４９及び送出部５０とについての動作を制御して、噴出部２４により予め設定された噴出量及び噴出時間をもって、消毒空間１２内への消毒薬剤ミストもしくは消毒薬剤ガスの予備的噴出が行われるようになす。斯かる際における、人感センサ２９からの検出出力に応じて薬剤導出部２２と出力部２３におけるミスト化／気化部４９及び送出部５０との動作を制御する動作制御も、動作制御部２５に含まれる制御信号送出手段によって、人感センサ２９からの検出出力に応じた制御信号ＣＸ，制御信号ＣＹ及び制御信号ＣＺが形成され、それらが、薬剤導出部２２，出力部２３におけるミスト化／気化部４９及び出力部２３における送出部５０に夫々送出されることにより行われる。
【００６９】
但し、このようにして、人感センサ２９と動作制御部２５とにより行われる、消毒空間１２内に入場する者を事前に検出して、消毒空間１２内への消毒薬剤ミストもしくは消毒薬剤ガスの予備的噴出が行われるようになす制御は、必ず必要というものではなく、消毒空間１２内に入場する者の状況や消毒空間１２内の状況等に応じて、適宜行われるようにされてもよい。
【実施例２】
【００７０】
図３は、図１に示される消毒装置１１が適用されて構成された入口消毒システムが設置されたフロアの一例を示す。
【００７１】
図３に示される例においては、オフィイス・ビルディング等の建物内のフロア７０に、事務室７１，７２，７３及び７４が設置されている。これらの事務室７１，７２，７３及び７４は廊下７５によって連結されている。
【００７２】
また、フロア７０には、事務室７１，７２，７３及び７４と廊下７５とを挟んで、二つの消毒室７６及び７７が設置されている。これらの消毒室７６及び７７の夫々は、その内部に前述の消毒空間１２を形成している。消毒室７６には、その入出口を形成する一対のドア部８１及び８２が対向配置されており、また、消毒室７７にも、その入出口を形成する一対のドア部８３及び８４が対向配置されている。従って、廊下７５さらには事務室７１，７２，７３及び７４のうちのいずれかについての入出は、ドア部８１及びドア部８２が設けられた消毒室７６が形成する消毒空間１２、もしくは、ドア部８３及びドア部８４が設けられた消毒室７７が形成する消毒空間１２を通り抜けないと行えない。
【００７３】
そして、消毒室７６及び７７の夫々に、図１に示される消毒装置１１が配されている。斯かるもとで、消毒室７６に配された消毒装置１１は、それが備える人感センサ２９が、ドア部８１の外側に配置され（図示省略）、その人感センサ２９を除く他の部分が、消毒室７６の内部に配される。同様に、消毒室７７に配された消毒装置１１は、それが備える人感センサ２９が、ドア部８３の外側に配置され（図示省略）、その人感センサ２９を除く他の部分が、消毒室７７の内部に配される。
【００７４】
さらに、フロア７０には、事務室７１，７２，７３及び７４，廊下７５，消毒室７６及び消毒室７７の外部となる一角に、受付け８５が設けられている。受付け８５には、事務室７１，７２，７３及び７４に対する入退室管理システム部８６が付設されている。
【００７５】
斯かるフロア７０において、事務室７１，７２，７３及び７４のうちのいずれかに入室しようとする者、あるいは、事務室７１，７２，７３及び７４のうちのいずれかから退出した者は、受付け８５において、入室手続あるいは退出手続をとることが要求される。そして、入室手続あるいは退出手続の記録は、入退室管理システム部８６によって管理される。
【００７６】
このようなもとで、消毒室７６及び消毒室７７の夫々に設けられた消毒装置１１は、入力操作部２８が操作されて入力操作部２８から動作制御部２５に供給される、電源部３３をオン状態とする制御オン信号に応じて、動作状態をとるものとされる。そして、フロア７０において、受付手続を済ませた者が、消毒室７６が形成する消毒空間１２もしくは消毒室７７が形成する消毒空間１２に入場すべく、消毒室７６に設けられたドア部８１もしくは消毒室７７に設けられたドア部８３に近接すると、消毒室７６もしくは消毒室７７に配された消毒装置１１が備える、ドア部８１もしくはドア部８３の外部に配された人感センサ２９が、ドア部８１もしくはドア部８３が開く前に、消毒空間１２に入場する者を事前に検出し、検出出力を消毒装置１１における動作制御部２５に供給する。それにより、当該消毒装置１１における動作制御部２５が、人感センサ２９からの検出出力に応じて、薬剤導出部２２と出力部２３におけるミスト化／気化部４９及び送出部５０とについての動作を制御して、噴出部２４に、予め設定された噴出量及び噴出時間をもって、消毒室７６もしくは消毒室７７の内部に形成された消毒空間１２内への消毒薬剤ミストもしくは消毒薬剤ガスの予備的噴出を行わせる。その結果、消毒室７６もしくは消毒室７７の内部に形成された消毒空間１２が予備的に消毒される。
【００７７】
なお、斯かる際、受付手続を済ませた者が消毒室７６が形成する消毒空間１２もしくは消毒室７７が形成する消毒空間１２に入場しようとしていることを知らせる情報が、受付け８５に付設された入退室管理システム部８６から、消毒室７６もしくは消毒室７７に配された消毒装置１１が備える通信部２７が交信する遠隔サーバ３６に送られ、その入退室管理システム部８６からの情報が、消毒室７６もしくは消毒室７７に配された消毒装置１１における動作制御部２５に通信部２７を通じて供給され、当該動作制御部２５が、その入退室管理システム部８６からの情報に応じて、薬剤導出部２２と出力部２３におけるミスト化／気化部４９及び送出部５０とについての動作を制御し、噴出部２４に、消毒室７６もしくは消毒室７７の内部に形成された消毒空間１２内への消毒薬剤ミストもしくは消毒薬剤ガスの予備的噴出を行わせる、という状態が得られるようにされてもよい。
【００７８】
続いて、消毒室７６もしくは消毒室７７の内部に形成された消毒空間１２が予備的に消毒された後、受付手続を済ませた者を消毒室７６が形成する消毒空間１２もしくは消毒室７７が形成する消毒空間１２に入場させるべく、消毒室７６に備えられたドア部８１もしくは消毒室７７に備えられたドア部８３が開かれ、受付手続を済ませた者が消毒室７６が形成する消毒空間１２もしくは消毒室７７が形成する消毒空間１２に入場すると、直ちに、消毒室７６に備えられたドア部８１もしくは消毒室７７に備えられたドア部８３が閉められる。この間、消毒室７６に備えられたドア部８２もしくは消毒室７７に備えられたドア部８４は閉められた状態に維持される。
【００７９】
そして、消毒室７６もしくは消毒室７７に配された消毒装置１１により、その動作制御部２５における演算手段が行う薬剤噴出演算により設定される噴出時期毎に、噴出部２４から、例えば、極めて少量とされる一定量の消毒薬剤ミストもしくは消毒薬剤ガスが、例えば、極めて短いものとされる一定時間だけ、消毒室７６もしくは消毒室７７内に形成された消毒空間１２内に噴出され、斯かる消毒薬剤ミストもしくは消毒薬剤ガスの断続的噴出により、消毒空間１２における消毒薬剤ミストもしくは消毒薬剤ガスの濃度が、予め設定された最低濃度以上で予め設定された最高濃度以下に維持される状態がとられる。それにより、消毒室７６が形成する消毒空間１２もしくは消毒室７７が形成する消毒空間１２に入場した者についての消毒が行われる。このとき、ドア部８１もしくはドア部８３の開閉に応じて、消毒室７６もしくは消毒室７７に配された消毒装置１１による消毒薬剤ミストもしくは消毒薬剤ガスの断続的噴出を行う動作が開始するようにされてもよい。
【００８０】
その後、予め設定された時間が経過すると、消毒室７６が形成する消毒空間１２もしくは消毒室７７が形成する消毒空間１２に入場した者を当該消毒空間１２から退出させるべく、消毒室７６に備えられたドア部８２もしくは消毒室７７に備えられたドア部８４が開かれ、消毒空間１２に入場した者が当該消毒空間１２から退出すると、直ちに、消毒室７６に備えられたドア部８２もしくは消毒室７７に備えられたドア部８４が閉められる。この間、消毒室７６に備えられたドア部８１もしくは消毒室７７に備えられたドア部８３は閉められた状態に維持される。このとき、ドア部８２もしくはドア部８４の開閉に応じて、消毒室７６もしくは消毒室７７に配された消毒装置１１による消毒薬剤ミストもしくは消毒薬剤ガスの断続的噴出を行う動作が終了するようにされてもよい。
【００８１】
このようにして、受付けを済ませた者は、消毒室７６が形成する消毒空間１２もしくは消毒室７７が形成する消毒空間１２を通過することにより消毒された後、廊下７５を経て事務室７１，７２，７３及び７４のうちのいずれかに入室することができる。
【００８２】
上述のような消毒室７６もしくは消毒室７７に配された消毒装置１１の動作は、入力操作部２８から動作制御部２５への制御オン信号の供給後継続的に行われ、また、上述のようなドア部８１〜ドア部８４の開閉動作は、消毒室７６が形成する消毒空間１２もしくは消毒室７７が形成する消毒空間１２への入場者がある毎に繰り返される。その後、入力操作部２８が操作されて入力操作部２８から動作制御部２５に、電源部３３をオフ状態とする制御オフ信号が供給されると、消毒室７６もしくは消毒室７７に配された消毒装置１１による、その動作制御部２５における演算手段が行う薬剤噴出演算により設定される噴出時期毎に、噴出部２４から、例えば、極めて少量とされる一定量の消毒薬剤ミストもしくは消毒薬剤ガスが、例えば、極めて短いものとされる一定時間だけ、消毒室７６もしくは消毒室７７内に形成された消毒空間１２内に噴出される動作が停止せしめられる。
【００８３】
消毒室７６に備えられたドア部８１及びドア部８２の夫々の開閉及び消毒室７７に備えられたドア部８３及びドア部８４の夫々の開閉は、例えば、受付け８５に付設された入退室管理システム部８６によって制御される。また、消毒室７６もしくは消毒室７７に配された消毒装置１１により、その動作制御部２５における演算手段が行う薬剤噴出演算により設定される噴出時期毎に、噴出部２４から、例えば、極めて少量とされる一定量の消毒薬剤ミストもしくは消毒薬剤ガスが、例えば、極めて短いものとされる一定時間だけ、消毒室７６もしくは消毒室７７内に形成された消毒空間１２内に噴出され、それにより、消毒空間１２における消毒薬剤ミストもしくは消毒薬剤ガスの濃度が、予め設定された最低濃度以上で予め設定された最高濃度以下に維持される状態がとられる時間は、例えば、入退室管理システム部８６によって、あるいは、消毒装置１１が備える通信手段２８が交信を行う遠隔サーバ３６によって管理される。
【産業上の利用可能性】
【００８４】
以上のような本発明に係る消毒装置は、消毒空間内に消毒薬剤ミストもしくは消毒薬剤ガスを噴出して消毒空間の消毒を行うにあたり、当該消毒空間への消毒薬剤ミストもしくは消毒薬剤ガスの噴出を適切な演算に基づいて的確に制御し、それにより、当該消毒空間の消毒薬剤ミストもしくは消毒薬剤ガスの濃度を、予め設定される最低濃度以上で予め設定される最高濃度以下とされる適切な値に、所定の時間に亙って維持することができるものとして、建物内のフロア上の空間等の様々な空間の消毒に広く適用され得るものである。
【符号の説明】
【００８５】
１１・・・消毒装置，  １２・・・消毒空間，  ２１・・・消毒薬剤供給部，  ２２・・・薬剤導出部，  ２３・・・出力部，  ２４・・・噴出部，  ２５・・・動作制御部，  ２６・・・各種センサ，  ２７・・・通信部，  ２８・・・入力操作部，  ２９・・・人感センサ，  ３０・・表示部，  ３１・・・ＲＯＭ，  ３２・・・ＲＡＭ，  ３３・・・電源部，  ３５・・・近隣の消毒装置，  ３６・・・遠隔サーバ，  ４９・・・ミスト化／気化部，  ５０・・・送出部，  ７０・・・フロア，  ７１，７２，７３，７４・・・事務室，  ７５・・・廊下，  ７６，７７・・・消毒室，  ８１，８２，８３，８４・・・ドア部，  ８５・・・受付け，  ８６・・・入退室管理システム部
【図１】
2011010912.tif 000003
【図２】
2011010912.tif 000004
【図３】
2011010912.tif 000005